(57)【要約】【課題】  仕上がり線の位置を明確にすることにより、塗足し忘れ防止や的確な塗足しを可能とする。【解決手段】  プリントサーバでは、印刷ジョブを受信すると、角トンボの描画コードを用いて仕上がり線の位置を判断する仕上がり線情報を取得する（ステップ１００、１０２）。この後に、仕上がり寸法情報に基づいて、各オブジェクトについて、塗足しが必要か又は塗足しを行うかを判断し、塗足しが必要であることを警告するか、塗足し処理を行う（ステップ１０４〜１１８）。また、仕上がり線を上書きするときには、ページレイアウト上に仕上がり線を描画するように画像処理を行う（ステップ１２０〜１２４）。【選択図】        図４
2005208984.tif 000002
【特許請求の範囲】
【請求項１】
画像処理端末から入力される画像データ又は描画命令に対する画像処理を行う画像処理装置であって、
前記画像データ又は前記描画命令に含まれる仕上がり寸法情報を抽出する抽出手段と、
前記抽出手段によって抽出した前記仕上がり寸法情報に基づいて前記画像データ又は前記描画命令に応じたページレイアウト上に仕上がり線を描画する描画手段と、
を含むことを特徴とする画像処理装置。
【請求項２】
画像処理端末から入力される画像データ又は描画命令に対する画像処理を行う画像処理装置であって、
前記画像データ又は前記描画命令に含まれる仕上がり寸法情報を抽出する抽出手段と、
前記抽出手段によって抽出した前記仕上がり寸法情報と前記画像データ又は前記描画データに基づいたページレイアウト上のオブジェクトの位置情報からオブジェクトと仕上がり寸法情報から得られる仕上がり線の間を埋める塗足しが必要なオブジェクトを判定する判定手段と、
前記判定手段の判定結果を告知する告知手段と、
を含むことを特徴とする画像処理装置。
【請求項３】
前記判定手段が、前記仕上がり線と前記オブジェクトの仕上がり線側の縁の間隔に基づいて判定することを特徴とする請求項２に記載の画像処理装置。
【請求項４】
画像処理端末から入力される画像データ又は描画命令に対する画像処理を行う画像処理装置であって、
前記画像データ又は前記描画命令に含まれる仕上がり寸法情報を抽出する抽出手段と、
前記抽出手段によって抽出した前記仕上がり寸法情報と前記画像データ又は前記描画データに基づいたページレイアウト上のオブジェクトの位置情報からオブジェクトと仕上がり寸法情報から得られる仕上がり線の間を埋める塗足しを行うオブジェクトを抽出する抽出手段と、
前記抽出手段によって抽出した前記オブジェクトの縁が前記仕上がり線を越える所定位置に達するように塗足し又はオブジェクトの拡大を行う塗足し描画手段と、
を含むことを特徴とする画像処理装置。
【請求項５】
前記抽出手段が、前記仕上がり線と前記オブジェクトの仕上がり線側の縁の間隔に基づいて判定することを特徴とする請求項４に記載の画像処理装置。
【発明の詳細な説明】
【技術分野】
【０００１】
本発明は、クライアントコンピュータ等の画像処理端末から入力される画像データ又は描画命令に基づいて画像処理を行う画像処理装置に関する。
【背景技術】
【０００２】
ＤＴＰ（Desktop  Publishing）は、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer  to  Plate）。
【０００３】
また、ＤＴＰでは、実際の刷版の作成や刷版を用いた印刷に先立って校正を行う時には、ＷＹＳＩＷＹＧ機能を用いて、モニタに表示したページレイアウトをレーザープリンタ等のカラー印刷装置を用いて印刷出力することがある。
【０００４】
一方、ＤＴＰアプリケーションでは、トンボやキャプション等のページレイアウト上の画像に対する情報を自動的に付加することがある。これにより、レーザープリンタ等を用いてページレイアウトに基づいた画像を印刷出力したときに、トンボやキャプションが所定位置に形成される。また、このページレイアウトに基づいて作成した刷版を用いて印刷したときには、トンボやキャプションに基づいて断裁が行われる。
【０００５】
ところで、ＤＴＰアプリケーションを用いてページレイアウト等を作成するときには、仕上がりサイズいっぱいに画像等を配置しようとすることがある。このときに、実際の仕上がりサイズと画像位置の間に隙間があると、断裁したときに用紙の縁と画像の間に、空白の隙間が生じてしまうことがある。
【０００６】
これを防止する方法として、通常、所謂塗足し処理を行い、仕上がりサイズよりも３ｍｍ程度大きめに描画が行われるようにページレイアウトを作成するようにしている。
【０００７】
一方、作成したページレイアウトをカンプ（カラーカンプ）出力したりプルーフ出力したときに、塗足しが適切に行われているかを確認する必要があり、このためには、手書きで画像枠線を書き込む必要があった。
【０００８】
ここから、事前に仕上がり線の位置とサイズを設定し、印刷出力時に仕上がり線も合わせて描画する方法が提案されている（例えば、特許文献１参照。）。
【特許文献１】特開２００２−１４２０９６号公報
【発明の開示】
【発明が解決しようとする課題】
【０００９】
しかしながら、仕上がり線の位置やサイズは、用紙サイズは勿論、ＤＴＰアプリケーションによっても異なる。このために、ページレイアウトを作成するときに、仕上がり線の位置やサイズを調べて予め設定する必要がある。
【００１０】
本発明は上記事実に鑑みてなされたものであり、仕上がり線の位置やサイズ等を設定することなく、仕上がり線の描画を可能とすることにより、塗足し等の確認が容易となるようにする画像処理装置を提供することを目的とする。
【課題を解決するための手段】
【００１１】
上記目的を達成するための請求項１に係る発明は、画像処理端末から入力される画像データ又は描画命令に対する画像処理を行う画像処理装置であって、前記画像データ又は前記描画命令に含まれる仕上がり寸法情報を抽出する抽出手段と、前記抽出手段によって抽出した前記仕上がり寸法情報に基づいて前記画像データ又は前記描画命令に応じたページレイアウト上に仕上がり線を描画する描画手段と、を含むことを特徴とする。
【００１２】
この発明によれば、画像処理を行う描画データ又は描画命令に仕上がり線の位置を特定可能な仕上がり寸法情報が含まれているときに、この仕上がり寸法情報を抽出する。
【００１３】
また、描画手段は、この仕上がり寸法情報に基づいて、描画データ又は描画命令に基づいたページレイアウト上に、仕上がり線を描画する。
【００１４】
これにより、ページレイアウト上に配置されたオブジェクトのそれぞれについて、塗足しが必要かなどを明確にすることができる。
【００１５】
また、請求項２に係る発明は、画像処理端末から入力される画像データ又は描画命令に対する画像処理を行う画像処理装置であって、前記画像データ又は前記描画命令に含まれる仕上がり寸法情報を抽出する抽出手段と、前記抽出手段によって抽出した前記仕上がり寸法情報と前記画像データ又は前記描画データに基づいたページレイアウト上のオブジェクトの位置情報からオブジェクトと仕上がり寸法情報から得られる仕上がり線の間を埋める塗足しが必要なオブジェクトを判定する判定手段と、前記判定手段の判定結果を告知する告知手段と、を含むことを特徴とする。
【００１６】
この発明によれば、描画データ又は描画命令に基づくページレイアウト上のオブジェクトに対して、塗足しが必要か否かを判断し、塗足しの必要なオブジェクトがあるときには、そのオブジェクトが明確となるように告知する。
【００１７】
これにより、塗足しが必要であるにもかかわらず、塗足しが忘れられるのを確実に防止でき、適切な塗足しが可能となる。
【００１８】
このような本発明の判定手段は、前記仕上がり線と前記オブジェクトの仕上がり線側の縁の間隔に基づいて判定するものであれば良い。
【００１９】
請求項４に係る発明は、画像処理端末から入力される画像データ又は描画命令に対する画像処理を行う画像処理装置であって、前記画像データ又は前記描画命令に含まれる仕上がり寸法情報を抽出する抽出手段と、前記抽出手段によって抽出した前記仕上がり寸法情報と前記画像データ又は前記描画データに基づいたページレイアウト上のオブジェクトの位置情報からオブジェクトと仕上がり寸法情報から得られる仕上がり線の間を埋める塗足しを行うオブジェクトを抽出する抽出手段と、前記抽出手段によって抽出した前記オブジェクトの縁が前記仕上がり線を越える所定位置に達するように塗足し又はオブジェクトの拡大を行う塗足し描画手段と、を含むことを特徴とする。
【００２０】
この発明によれば、仕上がり寸法情報から得られる仕上がり線に基づいて塗足しを行うオブジェクトを抽出し、抽出したオブジェクトに対して塗足し処理を行う。
【００２１】
これにより、適切に塗足し処理されたオブジェクトを形成した印刷物などを得ることができる。
【００２２】
このような本発明の抽出手段は、前記仕上がり線と前記オブジェクトの仕上がり線側の縁の間隔に基づいて判定するものであれば良い。
【００２３】
すなわち、本発明は、描画データ又は描画命令に基づいて画像処理を行うときに、仕上がり線の位置が明確となるときには、この仕上がり線の位置を明確にして、また、この仕上がり線の位置に基づいて塗足しの必要なオブジェクトを的確に判断し、また、必要に応じて塗足しを行う。
【発明の効果】
【００２４】
以上説明したように本発明によれば、ページレイアウト上で仕上がり線の位置及び仕上がり線に対する各オブジェクトの位置を的確に判断することができ、これにより、塗足し忘れ防止や的確な塗足しが可能となるという優れた効果が得られる。
【発明を実施するための最良の形態】
【００２５】
以下に、図面を参照しながら本発明の実施の形態を説明する。図１には、本実施の形態に適用したネットワーク１０の概略構成を示している。このネットワーク１０では、本発明を適用した画像処理装置として設けられているプリントサーバ１２と、画像処理端末として設けられている複数のクライアント端末１４とが、通信回線１６を介してネットワーク接続される。
【００２６】
また、プリントサーバ１２には、印刷出力装置としてプリンタ１８が接続されており、プリントサーバ１２は、クライアント端末１４から出力される印刷ジョブを受信すると、この印刷ジョブに応じた画像処理及び印刷出力を実行する。
【００２７】
なお、以下では、画像処理装置としてプリントサーバ１２を例に説明するが、本発明の画像処理装置は、これに限らず、クライアント端末１４とネットワーク接続されたファイルサーバなどの各種の中間サーバに設けて、画像処理を行うものであっても良い。また、本発明の画像処理装置での処理結果は、プリンタ１８に限らず、印刷用の刷版を作成するために画像データに基づいて感光性平版印刷版を直接露光するプレートセッターや、感光性平版印刷版への画像焼付け（露光）に用いるフィルム（原稿フィルム）を露光する露光装置等の各種の出力装置を接続することができる。
【００２８】
プリントサーバ１２及びクライアント端末１４には、ネットワークインターフェイス（ネットワークＩ／Ｆ）２０、２２が設けられており、プリントサーバ１２及びクライアント端末１４は、このネットワークインターフェイス２０、２２を介して通信回線１６に接続し、各種のデータの送受信が可能となっている。
【００２９】
また、プリントサーバ１２は、双方向インターフェース（双方向Ｉ／Ｆ）２４を備えており、この双方向Ｉ／Ｆ２４を介してプリンタ１８に接続している。なお、プリントサーバ１２は、複数台のプリンタ１８が接続されたものであっても良い。
【００３０】
このようなプリントサーバ１２は、パーソナルコンピュータ（ＰＣ）に所定機能を備えたＰＣＩボードを追加するなどして構成することができる。また、プリントサーバ１２は、キーボード、マウス等の入力デバイスと共に、ＣＲＴディスプレイや液晶ディスプレイ等の表示デバイスが接続され、表示デバイスに表示した画像に対する処理及び表示画像を印刷出力するＷＹＳＩＷＹＧ機能を備えたものであっても良い。さらに、プリントサーバ１２は、プリンタ１８と一体であっても良く、また、別体であっても良い。
【００３１】
プリントサーバ１２には、プリントサーバ１２自体及びプリンタ１８の作動を制御するプリントコントローラ２６、各種のデータを記憶するＨＤＤ２８及び画像処理部３０が形成されている。画像処理部３０では、クライアント端末１４から印刷ジョブ等のジョブ（以下、印刷ジョブとする）として入力される画像データ又は描画命令などのジョブデータに基づいてラスタデータを生成するＲＩＰ処理を行う。なお、プリントサーバ１２の基本的構成は、従来公知の一般的構成を適用でき、本実施の形態では詳細な説明を省略する。
【００３２】
一方、クライアント端末１４には、ＤＴＰアプリケーション（以下、アプリケーションとする）３２が設けられており、クライアント端末１４では、このアプリケーション３２を用いて、画像や文書の作成、加工、編集等の画像処理や文書作成等を行い、ページレイアウト等の印刷用の印刷データ（画像データや描画命令）の作成が可能となっている。
【００３３】
また、クライアント端末１４には、プリンタドライバ（ドライバソフト）３４が設けられており、クライアント端末１４では、このプリンタドライバ３４を用いて、アプリケーション３２によって作成した印刷データを印刷ジョブとしてプリントサーバ１２へ出力可能となっている。このときに、プリンタドライバ３４を用いることにより、各種の印刷機能等の設定が可能となっている。
【００３４】
プリントサーバ１２には、印刷機能設定部３６が形成されており、プリントサーバ１２では、クライアント端末１４から送信された印刷ジョブを受信すると、印刷ジョブで指定されている各種の印刷機能の設定を行い、設定した印刷機能に基づいて印刷ジョブに応じた印刷出力が得られるようにしている。
【００３５】
ところで、クライアント端末１４に設けているアプリケーション３２は、製版、印刷、製本（断裁）工程で使用するトンボを自動的に付加するものがあり、また、ユーザーインターフェイスを用いてトンボの付加を指定可能となっているものがある。これにより、プリントサーバ１２には、このトンボを含む印刷ジョブが送信されることがある。
【００３６】
図２には、クライアント端末１４上でアプリケーション３２を用いて作成されて記録紙４０に形成されたページレイアウト４２の概略を示している。このページレイアウト４２は、記録紙４０に印刷出力したときに、仕上がり線４４として示す仮想線（図２で紙面内側の二点鎖線）内が版面（仕上がり面）となっている。
【００３７】
このとき、アプリケーションソフト３２によって例えば、角トンボ４６が付加されることにより、この角トンボ４６によって仕上がり線４４の位置を判断することができる。なお、アプリケーション３２が付加するトンボは、角トンボ４６に限らず、また、角トンボ４６の形状は、図２に示す形状に限るものではないが、以下では、図２に示す角トンボ４６を例に説明する。
【００３８】
アプリケーション３２（図１参照）を用いてページレイアウト４２を作成するときには、この版面上（仕上がり線４４内）に画像などのオブジェクトや文書等が配置される。すなわち、記録紙４０上の仕上がり線４４の内側が、クライアント端末１４上でアプリケーション３２を用いて画像や文書の作成、加工編集を行うときの作業可能領域となっており、クライアント端末１４上でアプリケーション３２を用いてページレイアウトを作成するユーザーは、仕上がり線４４内で画像や文書の作成、加工、編集を行っていることになる。
【００３９】
また、角トンボ４６は、図２で仕上がり線４４の外側の仮想線（二点鎖線）で示す塗足し線４８の位置を特定することができるようになっている。仕上がり線４４と塗足し線４８の間が、例えば、約３ｍｍ程度の幅の裁ちしろ５０となっている。なお、図２で二点鎖線で示す仕上がり線４４及び塗足し線４８は、通常、記録紙４０上には現れないようになっている。
【００４０】
アプリケーション３２は、作成されたページレイアウト４２上に仕上がり線４４と塗足し線４８の位置を特定可能とする角トンボ４６を、仕上がり線４４の外側、すなわち、ユーザーの作業可能領域外の四隅に自動的に付加する。
【００４１】
この角トンボ４６は、ページレイアウト４２に応じた印刷用の刷版を作成するときに、ページレイアウト４２に応じた画像と共に感光性平版印刷版（印刷版）に焼付けられる。
【００４２】
これにより、この刷版を用いて印刷用紙上にページレイアウト４２を印刷し、例えば製本工程で、角トンボ４６に基づいて、角トンボ４６から想定される仕上がり線４４の位置を目標に印刷用紙が断裁される。
【００４３】
一方、図１に示すように、プリントサーバ１２には、仕上がりサイズ情報抽出部６０が設けられている。この仕上がりサイズ情報抽出部６０は、例えば、印刷ジョブ又は印刷ジョブのページレイアウト４２に、アプリケーション３２が角トンボ４６などの仕上がり線４４の位置を特定可能な情報（仕上がり寸法情報）を付加しているときに、その情報に基づいてページレイアウト４２上の仕上がり線４４の位置を抽出する。
【００４４】
なお、本実施の形態では、アプリケーション３２が角トンボ４６を付加したときに、この角トンボ４６を用いて仕上がり線４４の位置情報を抽出するが、センタートンボを付加するアプリケーションが用いられているときには、センタートンボと仕上がりサイズに基づいて仕上がり線４４の位置を特定すればよい。
【００４５】
プリントサーバ１２には、塗足しオブジェクト抽出部６２が設けられている。この塗足しオブジェクト抽出部６２は、ページレイアウト４２上のオブジェクトの周縁と仕上がり線４４の位置に基づいて、仕上がり線４４を越えるように描画する必要のあるオブジェクトを抽出する。
【００４６】
また、プリントサーバ１２に設けられている画像処理部３０では、オブジェクト抽出部６２によって抽出されたオブジェクトがあるときには、そのオブジェクトに対して、仕上がり線４４を越えるように塗足し又は拡大処理（以下、塗足し処理とする）を施すことができるようになっている。
【００４７】
すなわち、画像処理部３０では、塗足しオブジェクト抽出部６２で抽出されたオブジェクトが写真画像（図２に示すオブジェクト５２Ａ）などであるときには、該当オブジェクト５２を、拡大することにより、仕上がり線４４側の縁が、少なくとも仕上がり線４４を越え、好ましくは塗足し線４８に達するように配置する。なお、このときには、仕上がり線４４と反対側の縁の位置を移動せずに、仕上がり線４４側の縁が塗足し線４８に達するように拡大してページレイアウト４２上に配置する。
【００４８】
また、塗足しオブジェクト抽出部６２で抽出されたオブジェクトが、例えば下地を所定色に塗りつぶしたオブジェクト（図２に示すオブジェクト５２Ｂ）などであるときには、その下地が、少なくとも仕上がり線４４を越え、好ましくは塗足し線４８に達するように延長（塗足し）を行う。
【００４９】
プリントサーバ１２では、このように塗足し処理を施すことにより、図３に示すように、ページレイアウト４２を記録紙４０に形成したときに、縁が仕上がり線４４の近傍に達するか、仕上がり線４４と重なるように配置されたオブジェクト５２Ａ、５２Ｂなどが少なくとも仕上がり線４４を越えるか、好ましくは塗足し線４８に達するようにしている。
【００５０】
これにより、印刷出力したページレイアウト４２を、設定サイズに断裁したときに、オブジェクト５２Ａ、５２Ｂと断裁位置との間に白色（記録紙４０の色）の隙間（余白）が生じてしまうのを防止するようにしている。
【００５１】
以下に、本実施の形態の作用として、塗足しの必要があるページレイアウトを含む印刷ジョブに対する印刷処理を説明する。
【００５２】
プリントサーバ１２では、クライアント端末１４から送信された印刷ジョブを受信すると、先ず、印刷機能の指定を読み込み、この指定に基づいて印刷機能を設定する。この後に、印刷機能の設定に基づいた画像処理及びＲＩＰ処理を施してプリンタ１８へ出力することにより、印刷ジョブの各ページレイアウト４２に基づいた画像が記録紙４０に形成される。
【００５３】
ところで、ネットワーク１０に設けているクライアント端末１４では、アプリケーション３２を用いて、ページレイアウト４２等を作成する。このとき、クライアント端末１４上では、アプリケーション３２等がページレイアウト４２の所定位置に角トンボ４６を付加することがある。また、ユーザーがアプリケーション３２を用いてページレイアウト４２を作成するときに、角トンボ４６の付加を指定することがある。
【００５４】
ここから、クライアント端末１４から送信されたページレイアウト４２上には、角トンボ４６が付加されていることがある。
【００５５】
一方、ユーザーがアプリケーション３２を用いてページレイアウト４２を作成するときには、仕上がりサイズいっぱいにオブジェクトを配置することがある。このとき、ページレイアウト４２を印刷して仕上がりサイズに断裁したときに、仕上がりサイズいっぱいに描画しようとしたオブジェクトと断裁した縁の間に隙間が生じ、この隙間が印刷物上に白く残ってしまうことがある。
【００５６】
これを防止するために、アプリケーション３２を用いてページレイアウトを作成するときに、所謂塗足しを行い、ページレイアウト４２の仕上がりサイズよりも裁ちしろ分（約３ｍｍ程度）だけ、該当オブジェクトを大きめに描画するなどしているが、塗足しが十分でなかったり、塗足しが必要であるにもかかわらず、塗足しを忘れてしまうことがある。
【００５７】
ここから、プリントサーバ１２では、クライアント端末１４から送信された印刷ジョブに対して、塗足しが必要なオブジェクトがページレイアウト上に残っているか否かを判断し、塗足しが必要と思われるオブジェクトが含まれているときには、それをクライアント端末１４に報知して、塗足しの忘れを防止できるようにしている。
【００５８】
また、プリントサーバ１２では、塗足しの必要なオブジェクトがあるときには、そのオブジェクトに対する塗足し処理を実行して、印刷出力できるようになっている。
【００５９】
図４には、プリントサーバ１２で実行する塗足し処理の一例を示している。このフローチャートは、最初のステップ１００で、クライアント端末１４から送信された印刷ジョブを受信すると、受信した印刷ジョブのそれぞれに対して順に実行される。
【００６０】
なお、塗足し処理を行うか否かは、図示しないユーザーインターフェイスを用いてプリントサーバ１２上で選択設定できるようにしてもよく、また、クライアント端末１４上にユーザーインターフェイスを設け、このユーザーインターフェイスで、クライアント端末１４を使用するユーザー、すなわち、印刷ジョブを作成したユーザーが選択して設定できるものであっても良い。
【００６１】
また、プリントサーバ１２では、塗足し忘れの告知を行うようにしており、この塗足し忘れの告知を行うか否かも、プリントサーバー１２上又はクライアント端末１４上で設定できるようにしても良い。
【００６２】
塗足し処理は、先ず、ステップ１０２で仕上がりサイズの抽出を行う。この仕上がりサイズの抽出は、角トンボ４６などのトンボを描画する描画コードのパターンが予め定まっていることから、このパターンに基づいて、先ず、角トンボ４６などのトンボを描画する描画コードの特定を行う。
【００６３】
この後に、トンボの座標情報を用いて仕上がり線４４の位置と仕上がりサイズを特定することができる。
【００６４】
すなわち、図２に示すように、仕上がり線４４の位置は、角トンボ４６によって特定されるので、それぞれの角トンボ４６の位置座標から仕上がり線４４の位置を判定することができる。
【００６５】
なお、ＤＴＰアプリケーションには、付加情報として仕上がり線４４の位置とサイズの情報を出力するものがある。このときには、その情報を抽出して、用いても良い。例えば、
[ [ThisPage] <</TrimBox [ 123.363  174.556  718.638  1016.45  ] >> /PUT pdfmark
[ [ThisPage] <</BleedBox [ 114.859  166.052  727.142  1024.95  ] >> /PUT pdfmark
と記述されていることがあり、このときには、「TrimBox」が仕上がりサイズを示し、「BleedBox」が塗足し領域を含めたサイズを示していることから、容易に仕上がりサイズを得ることができる。
【００６６】
このようにして仕上がりサイズを抽出して、仕上がり線４４の位置を得ると、図４のフローチャートでは、ステップ１０４へ移行し、１ページ目のデータを読み読込み、ステップ１０６では、オブジェクトの抽出を行う。
【００６７】
この後、ステップ１０８では、抽出したオブジェクトの位置と仕上がり線４４の位置から塗足しの必要なオブジェクトであるか判断する。
【００６８】
ここで、抽出したオブジェクトが、仕上がり線４４の内側で、かつ仕上がり線４４と接近した位置であるときには、塗足しが必要なオブジェクトであると判断して、ステップ１０８で肯定判定してステップ１１０へ移行する。
【００６９】
このステップ１１０では、図示しないユーザーインターフェイス等での設定にしたがって、警告するか否かを判断する。ユーザーインターフェイスなどによって警告するように設定されているときには、ステップ１１０で肯定判定してステップ１１２へ移行する。
【００７０】
このステップ１１２では、抽出したオブジェクトが塗足しの必要なオブジェクトであることを、ユーザーが確実に認識できるようにする警告処理を行う。
【００７１】
このような警告処理としては、この印刷ジョブを送信したクライアント端末１４に、塗足しの必要なオブジェクトが含まれていることを知らせるメッセージを送信する。また、警告処理として、プリンタ１８から印刷処理したときに、このオブジェクトと塗足しの必要な領域を明確とするように、このオブジェクトと仕上がり線４４又は塗足し線４８の間を例えば赤色などの警告色で埋めるように描画命令を作成する。また、このオブジェクト自体を例えば赤色などの警告色で描画するようにしても良い。なお、警告処理は、上記の何れか一つの方法を用いてもよく、また、複数の方法を併用しても良く、さらに、該当オブジェクトがユーザーに明確となるものであれば、任意の方法を用いることができる。
【００７２】
一方、塗足しの必要なオブジェクトであるか否かの判定は、そのオブジェクトの縁と仕上がり線４４の間隔を用いることができる。
【００７３】
例えば、仕上がりサイズの左下と右上の座標が（123.363、174.556）、（718.638、1016.45）であるときに、抽出したオブジェクトの左下と右上の座標が（500、500）、（718、800）で四角形で描画するように設定されているときには、塗足しの必要なオブジェクトであると判定する。
【００７４】
すなわち、オブジェクトの縁と仕上がり線の間隔が数mm程度（例えば５mm以下）であるときには、塗足しの必要なオブジェクトであると判断することができる。このときの間隔は、ユーザーインターフェイスを用いてプリントサーバー１２上で予め設定されているものであれば良い。
【００７５】
また、オブジェクトと仕上がり線４４の間隔に加えて、オブジェクトの縁と仕上がり線４４が平行であるか否かを用いることもでき、例えば、オブジェクトの縁と仕上がり線４４が略平行であるときには、そのオブジェクトを塗足しの必要なオブジェクトと判断する。
【００７６】
また、抽出したオブジェクトの縁が仕上がり線４４と重なっているか、仕上がり線４４を越えている（仕上がり線４４の外側に飛び出している）ときには、そのオブジェクトを塗足しの必要なオブジェクトと判断する。
【００７７】
図４のフローチャートのステップ１１４では、前記したステップ１１０と同様に図示しないユーザーインターフェイス等の設定によって塗足しを行うように設定されているか否かを確認する。このときに、ユーザーインターフェイス上で塗足しを行うように設定されているときには、ステップ１１４で肯定判定してステップ１１６へ移行する。
【００７８】
このステップ１１６では、抽出したオブジェクトの縁が、塗足し線４８に達するように塗足し処理を行う。
【００７９】
すなわち、抽出したオブジェクトが図２に示すオブジェクト５２Ｂであるときには、下地が塗足し線４８に達するように塗足しを行う。これにより、図３に示すように、塗足しをしたオブジェクト５４Ｂが得られるようにする。
【００８０】
また、抽出したオブジェクトが図２に示すオブジェクト５２Ａであるときには、このオブジェクト５２Ａを拡大するなどして、このオブジェクト５２Ａの縁が塗足し線４８に達するようにする。このとき、オブジェクト５２Ａの仕上がり線４４から離れた縁の位置を変えずに行うことが好ましい。
【００８１】
これにより、図３に示すように、塗足し処理したオブジェクト５４Ａが得られるようにする。
【００８２】
図４のフローチャートでは、このようにして、オブジェクトを抽出しながらそれぞれのオブジェクトに対して、警告が必要か否か、塗足しが必要か否かを判断すると共に、必要に応じて警告処理及び塗足し処理を行うと、ステップ１１８でページ内の全てにオブジェクトに対する処理が終了したか否かを確認し、全てのオブジェクトに対して終了したときには、このステップ１１８で肯定判定してステップ１２０へ移行する。
【００８３】
このステップ１２０では、ページレイアウト上に仕上がり線４４を上書きするか否かを確認する。なお、仕上がり線４４を上書きするか否かは、プリントサーバ１２上でユーザーインターフェイスを用いて予め設定されているものであっても良く、また、ユーザーがクライアント端末１４上で設定するものであっても良い。
【００８４】
ここで、仕上がり線４４を上書きするときには、ステップ１２０で肯定判定してステップ１２２へ移行し、仕上がり線４４の描画命令を作成する。
【００８５】
この後に、ステップ１２４へ移行して、このページに対する画像処理を行う。また、ステップ１２６では、全ページに対する処理が終了したか否かを確認し、残りのページがあるときには、ステップ１２６で否定判定してステップ１０４へ移行し、次のページに対する処理を行う。
【００８６】
このようにして印刷ジョブに対する処理を行うことにより、例えば、図２に示すページレイアウト４２に基づいて、オブジェクト５２Ａ、５２Ｂに対して確実に塗足し処理を行って、図３に示すページレイアウト４２Ａが得られる。
【００８７】
このとき、塗足しが必要と思われるにもかかわらず、実質的に塗足しが行われていないオブジェクトに対しては、そのオブジェクトの存在をユーザーに確実に知らせることができるので、塗足し忘れにより所望の仕上がりが得られなくなってしまうのを確実に防止することができる。
【００８８】
また、確実な塗足しができると共に、仕上がり線４４を明確にすることができるので、ページレイアウトの仕上がりを的確に把握することが可能となる。
【００８９】
なお、以上説明した本実施の形態は、ネットワーク１０に設けたプリントサーバ１２を例に説明したが、本発明は、プリントサーバ１２に限らず、任意の構成の画像処理装置に適用することができる。
【図面の簡単な説明】
【００９０】
【図１】本実施の形態に適用したプリントサーバ及びネットワークの概略構成図である。
【図２】ページレイアウトの一例を示す概略図である。
【図３】オブジェクトに対して塗足し処理を施したページレイアウトの一例を示す概略図である。
【図４】プリントサーバでの塗足し処理の一例を示す流れ図である。
【符号の説明】
【００９１】
１０    ネットワーク
１２    プリントサーバ（画像処理装置）
１４    クライアント端末（画像処理端末）
２６    プリントコントローラ
３０    画像処理部
３２    アプリケーション
４２、４２Ａ    ページレイアウト
４４    仕上がり線
４６    角トンボ
４８    塗足し線
５０    裁ちしろ
５２Ａ、５２Ｂ    オブジェクト
５４Ａ、５４Ｂ    オブジェクト
６０    仕上がりサイズ情報抽出部
６２    塗足しオブジェクト抽出部
【図１】
2005208984.tif 000003
【図２】
2005208984.tif 000004
【図３】
2005208984.tif 000005
【図４】
2005208984.tif 000006